(57)【要約】      （修正有）【課題】住宅等を建築するときに防水施工をするために所定の部位に防水テープを貼付するに際し、防水施工品質を向上させることができる防水テープ圧着具を提供する。【解決手段】板材の第１の端部には、板厚方向両側に位置する第一傾斜部１１ａ、及び第二傾斜部１１ｂを備え、第二傾斜部は、第一傾斜部よりも板厚方向に対して小さい傾斜角で形成されるとともに、板厚方向の中央から離れた位置から傾斜面を形成される。【選択図】図３
0003182977.tif 000002
【実用新案登録請求の範囲】
【請求項１】
板材の第１の端部には、板厚方向両側に位置する第一傾斜部、及び第二傾斜部を備え、前記第二傾斜部は、前記第一傾斜部よりも板厚方向に対して小さい傾斜角で形成されるとともに、板厚方向の中央から離れた位置から傾斜面を形成される、防水テープ圧着具。
【請求項２】
前記第一傾斜部の傾斜面は前記板厚方向に対して６０°以上７０°以下で傾斜しており、
前記第二傾斜部の前記傾斜面は前記板厚方向に対して４０°以上５０°以下で傾斜している、請求項１に記載の防水テープ圧着具。
【請求項３】
前記第一傾斜部と前記第二傾斜部との間には板厚方向に平滑部が設けられている請求項１又は２に記載の防水テープ圧着具。
【請求項４】
前記第一傾斜部の前記傾斜面の一端が板厚方向の中央にあることを特徴とする請求項１乃至３のいずれか１項に記載の防水テープ圧着具。
【請求項５】
前記第１の端部とは反対側の第２の端部には、円弧面が形成されている請求項１乃至４のいずれか１項に記載の防水テープ圧着具。
【請求項６】
前記板材の板面には凹部が形成されている請求項１乃至５のいずれか１項に記載の防水テープ圧着具。
【請求項７】
前記板材の幅が１００ｍｍ以上１４０ｍｍ以下であり、前記板材の高さが５０ｍｍ以上１５０ｍｍ以下である請求項１乃至６のいずれか１項に記載の防水テープ圧着具。
【考案の詳細な説明】
【技術分野】
【０００１】
本考案は、住宅等を建築するときに防水施工をするために所定の部位に防水テープを貼付するに際し、防水施工品質を向上させることができる防水テープ圧着具に関する。
【背景技術】
【０００２】
住宅等の建物の防水性を高めることは非常に重要であり、雨水等が外壁より内側に浸入すれば、建物躯体への損傷や建物内に配置してある家財への損害等が発生する。通常、建物はその施工時に防水紙、防水テープ、止水材、及び水切り等の防水手段を用いて防水性を確保している。
【０００３】
一方で、建物には窓を取り付けるための開口部やバルコニー等の壁面から突出する部位が存在し、開口や凹凸があるので、ここにいわゆる出隅や入隅が形成される。例えば図１０に模式的に表したように水平に延びて窓の下枠を受ける窓台の端部が柱の側面に突き合わされた部位では入隅が形成されるとともに、破線で囲んだ部位に三面交点ができる。三面交点は３つの面により形成される交点であり、この例では窓台の上面と、窓台が突き当てられた柱の見込み面と、柱の見付け面と、の交点が三面交点となっている。
このような入隅は線状、三面交点はピンホール状の隙間ができるので、この隙間を確実に塞ぐ等して防水する必要がある。
【０００４】
特許文献１、２には、このような入隅を適切に防水することができる防水テープ及びその施工について記載されている。これら防水テープはいずれも伸縮性に優れ、出隅や入隅等の形態によく沿って貼付されるので入隅や出隅における適切な防水が可能となる。
【先行技術文献】
【特許文献】
【０００５】
【特許文献１】特開２００４−２４４８３２号公報
【特許文献２】特開２００８−３１７９１号公報
【考案の概要】
【考案が解決しようとする課題】
【０００６】
しかしながら、このような防水テープ自体の性能が向上してもその施工は作業者が軍手等を介して、あるいは素手で軽く押さえる程度とされてしまうことがある。また、施工箇所が多岐にわたることから、施工が効率よく行えることも重要である。
【０００７】
そこで本考案は上記問題点に鑑み、防水テープの施工性を向上させることが可能である防水テープ圧着具を提供することを課題とする。
【課題を解決するための手段】
【０００８】
以下、本考案について説明する。なお、わかりやすさのため図面の参照符号を括弧書きで付記するが本考案はこれに限定されるものではない。
【０００９】
請求項１に記載の考案は、板材の第１の端部には、板厚方向両側に位置する第一傾斜部（１１ａ）、及び第二傾斜部（１１ｂ）を備え、第二傾斜部は、第一傾斜部よりも板厚方向に対して小さい傾斜角で形成されるとともに、板厚方向の中央から離れた位置から傾斜面を形成される、防水テープ圧着具（１０）である。
【００１０】
請求項２に記載の考案は、請求項１に記載の防水テープ圧着具（１０）において、第一傾斜部（１１ａ）の傾斜面は板厚方向に対して６０°以上７０°以下で傾斜しており、第二傾斜部（１１ｂ）の傾斜面は板厚方向に対して４０°以上５０°以下で傾斜している。
【００１１】
請求項３に記載の考案は、請求項１又は２に記載の防水テープ圧着具（１０）において、第一傾斜部（１１ａ）と第二傾斜部（１１ｂ）との間には板厚方向に平滑部（１１ｃ）が設けられている。
【００１２】
請求項４に記載の考案は、請求項１乃至３のいずれか１項に記載の防水テープ圧着具（１０）において、第一傾斜部（１１ａ）の傾斜面の一端が板厚方向の中央にあることを特徴とする。
【００１３】
請求項５に記載の考案は、請求項１乃至４のいずれか１項に記載の防水テープ圧着具（１０）において、第１の端部とは反対側の第２の端部には、円弧面（１２）が形成されている。
【００１４】
請求項６に記載の考案は、請求項１乃至５のいずれか１項に記載の防水テープ圧着具（１０）において、板材の板面には凹部（１３）が形成されている。
【００１５】
請求項７に記載の考案は、請求項１乃至６のいずれか１項に記載の防水テープ圧着具（１０）において、板材の幅が１００ｍｍ以上１４０ｍｍ以下であり、板材の高さが５０ｍｍ以上１５０ｍｍ以下である。
【考案の効果】
【００１６】
本考案の防水テープ圧着具によれば、その構造により防水テープを適切に効率よく施工することができる。
【図面の簡単な説明】
【００１７】
【図１】防水テープ圧着具１０の斜視図である。
【図２】防水テープ圧着具１０の平面図及び側面図である。
【図３】防水テープ圧着具１０の高さ方向両端部に注目した図である。
【図４】防水テープ圧着具１０の使用方法の１つの例を説明する図である。
【図５】防水テープ圧着具１０の使用方法の１つの例を説明する他の図である。
【図６】防水テープ圧着具１０の使用方法の１つの例を説明する他の図である。
【図７】防水テープ圧着具１０の使用方法の１つの例を説明する他の図である。
【図８】防水テープ圧着具１０の使用方法の１つの例を説明する他の図である。
【図９】防水テープ圧着具１０の使用方法の他の例を説明する図である。
【図１０】三面交点について説明する図である。
【考案を実施するための形態】
【００１８】
本考案の上記した作用及び利得は、次に説明する考案を実施するための形態から明らかにされる。以下本考案を図面に示す実施形態に基づき説明する。ただし本考案はこれら実施形態に限定されるものではない。
【００１９】
図１は１つの形態にかかる防水テープ圧着具１０の斜視図である。図２の右側には図１にＩＩａで示した方向から見た防水テープ圧着具１０の平面図、図２の左側には図１にＩＩｂで示した方向から見た防水テープ圧着具１０の側面図を表した。
【００２０】
図１、図２からわかるように防水テープ圧着具１０は全体として板状の部材である。そしてその大きさは図２に表したように幅Ｗ、高さＨ、及び厚さＴを有している。これらの大きさは特に限定されることはないが、防水テープ圧着具１０の使いやすさ、携行しやすさの観点から次のように構成されていることが好ましい。
【００２１】
幅Ｗは１００ｍｍ以上、１４０ｍｍ以下であることが好ましい。これは、後述するように施工対象部位に貼付された防水テープを押圧摺動させるに際の作業効率が考慮されたものである。具体的は次の通りである。すなわち、ＮＰＯ法人住宅外装テクニカルセンター規格ＪＴＣ  Ｓ−０００３「住宅用乾式外装材の外壁防水テープ」に基づき、一般的に最も多く用いられている５０ｍｍ幅及び７５ｍｍ幅の防水テープ、並びに各製造メーカーが揃えている１００ｍｍ幅のいずれにも対応することができる大きさである。１００ｍｍ以上とすることにより、防水テープの幅との関係で、これら防水テープを幅方向に均一に押圧摺動させることができる。また、１４０ｍｍ以下とすることで、例えば使用者のポケットに収納することができ、携行性を高めることができる。
【００２２】
高さＨは、１５０ｍｍ以下が好ましく、上記幅Ｗ以下であることがより好ましい。これにより携行性を高めることができる。一方、高さＨは使用者が防水テープ圧着具１０を掴んで作業がしやすいような大きさがよいので、５０ｍｍ以上であることが好ましい。
【００２３】
厚さＴは５ｍｍ以上１５ｍｍ以下であることが好ましい。防水テープ圧着具１０は後で詳しく説明するようにその高さＨ方向両端部のそれぞれに防水テープを押圧摺動するための形状が形成してあり、厚さＴはこの形状を形成するための厚さを確保する観点から決められるとよい。厚さＴを５ｍｍ以上とすることにより、当該形状を形成するための厚さを確保することができる。一方、厚さＴを１５ｍｍ以下とすることにより、携行性を高め
とともに、使用者が掴みやすい厚さとすることが可能である。
【００２４】
防水テープ圧着具１０のうち、高さ方向の一端側の端部（第一の端部）には、交差部用押圧部１１が形成されている。図３には図２の側面図のうち高さ方向の両端部が拡大して表れる図を示した。図３からわかるように、交差部用押圧部１１は、第一傾斜部１１ａ、第二傾斜部１１ｂ、及び平滑部１１ｃを備え、この形状を有して幅方向に延びている。
【００２５】
第一傾斜部１１ａは、防水テープ圧着具１０の第一の端部のうちの一方の板面側との角部を切り欠くように形成された斜面である。この斜面は厚さ方向に対して６０°以上７０°以下の角度αで傾斜した面であることが好ましく、防水テープ圧着具１０の端面のうち厚さ方向中央Ａ点を起点としている（図２、図３における一点鎖線は防水テープ圧着具１０の厚さ方向における中心線を表している。）ことがさらに好ましい。従って第一傾斜部１１ａの高さ方向大きさＬ１は角度αによって決まる。
【００２６】
平滑部１１ｃは、点Ａを起点として第一傾斜部１１ａとは反対側に厚さ方向に延在する面である。平滑部１１ｃの厚さ方向大きさＬ３は特に限定することはないが、０．５ｍｍ以上２ｍｍ以下であることが好ましい。Ｌ３を０．５ｍｍ以上とすることで平滑部１１ｃが所定の大きさで存在し、第一傾斜部１１ａと第二傾斜部１１ｂとによる鋭い角が形成されることが防止され、安全性を向上できる。また大きさＬ３は２ｍｍ以下とすることで、第二傾斜部１１ｂを十分に確保することが可能である。
【００２７】
第二傾斜部１１ｂは、防水テープ圧着具１０の一端部のうちの他方の板面側（第一傾斜部１１ａが形成された側の面と反対側）との角部を切り欠くように形成された斜面である。この斜面は厚さ方向に対して第一傾斜部よりも小さい角度であることが好ましく、４０°以上５０°以下の角度βで傾斜した面であることがさらに好ましい。第二傾斜部１１ｂは平滑部１１ｃのうち点Ａとは反対側の端部を起点としている。従って、第二傾斜部１１ｂの高さ方向大きさＬ２は平滑部１１ｃの厚さ方向の大きさ及び角度βによって決まる。
【００２８】
また、防水テープ圧着具１０のうち、高さ方向の他端側（第二の端部）、すなわちの交差部用押圧部１１とは反対側となる端部側には平部用押圧部１２が形成されている。平部用押圧部１２は、円弧面を有し、本形態では図２、図３からの視点において半円状とされ、これが幅方向に延びている。平部用押圧部１２の半円状における直径は特に限定されることはないが、防水テープ圧着具の幅Ｗであることが好ましい。これにより後述するように平部をより円滑に押圧して摺動することができる。
【００２９】
さらに、防水テープ圧着具１０の板状である板面のうち少なくとも一方側の面（第一の端部と第二の端部とを結ぶ面）には、図１、図２からわかるように、凹部１３が形成されている。この凹部１３は防水テープ圧着具１０を使用者が掴む際に指の引っ掛かりとなるように形成された部位である。従って使用者の利便性を向上させることができれば特に限定されることはないが、本形態では図２の側面図に表れるように底面が円弧状に湾曲した凹部である。その深さは２．５ｍｍとされ、図３の平面図からわかるように当該湾曲した形状を有して幅方向に延びている。
【００３０】
以上のような形状を有する防水テープ圧着具１０は例えば樹脂、木材、金属等により形成できる。その中でも、耐摩耗及び摺動性に優れること、軽量であること、防水テープの粘着剤が付着した際にこれを溶剤でふき取っても損傷がないように耐薬品性を備えること、並びに生産性がよいことを考慮して、例えば、ポリアセタール樹脂を好ましく用いることができる。
【００３１】
次に、防水テープ圧着具１０の用い方を説明し、その具体的な作用効果について説明する。図４乃至図８には１つの例にかかる防水テープ圧着具の用い方を説明する図を示した。これは図４に表したように開口部（サッシ）まわりの柱１００と窓台部１０１との三面交点に先張り防水シート１０２で防水施工し、ここに防水テープ１０３を貼付する例である。
【００３２】
柱１００と窓台部１０１との突き合わせ隅角部分は三面交点であり、ここに先張防水シート１０２を施工した場合、切れ目部分への防水テープ１０３の施工が防水施工上重要なポイントとなる。ここでは図４からわかるように、折り曲げ及び伸ばすことにより形状を合わせた伸張タイプの防水テープ１０３を窓台部１０１と柱１００の見込み側の二面を跨ぐように貼り付ける。
【００３３】
このとき、図５（ａ）、図５（ｂ）に表したように防水テープ圧着具１０を用いる。図５（ａ）は斜視図、図５（ｂ）は図５（ａ）にＶｂで表した方向から見た入隅の拡大図である。柱１００と窓台部１０１とにより形成される入隅に防水テープ圧着具１０のうち交差部用押圧部１１の第一傾斜部１１ａが窓台部１０１の上面に向き合うように当該入隅の少し手前から入隅に押し付け、防水テープ圧着具１０を押圧摺動して防水テープ１０３を入隅に圧着させる。これにより入隅に防水テープ１０３を適切に押し付けて貼付することができる。
【００３４】
次に防水テープ圧着具１０を入隅に押し付けたまま連続して図６（ａ）、図６（ｂ）に表したように、防水テープ圧着具１０を操作する。図６（ａ）は斜視図、図６（ｂ）は図６（ａ）にＶＩｂで表した方向から見た拡大図である。防水テープ圧着具１０を柱１００の見込み面に沿って破線矢印で示したように垂直上方に摺動させる。従って、このときには第二傾斜部１１ｂ側で防水テープ１０３をその長手方向に押圧摺動することになる。これにより柱１００の見込み面に防水テープ１０３を適切に押し付けて貼付することができる。
【００３５】
次に防水テープ圧着具１０を入隅に再度押しつけ、ここから連続して図７（ａ）、図７（ｂ）に表したように防水テープ圧着具１０を操作する。図７（ａ）は斜視図、図７（ｂ）は図７（ａ）にＶＩＩｂで表した方向から見た拡大図である。すなわち、防水テープ圧着具１０の第一傾斜部１１ａが窓台部１０１の見込み面に接するようにして破線矢印で示したように左右方向に摺動させる。従って、第一傾斜部１１ａ側で防水テープ１０３を押圧摺動することになる。これにより窓台部１０１の見込み面に防水テープ１０３を適切に押し付けて貼付することができる。
【００３６】
そして最後に図８に表したように、柱１００のうち見付け面に沿って、防水テープ圧着具１０を押圧摺動させて強固に取り付ける。図８は斜視図である。この際には第一傾斜部１１ａを用いて図８に破線矢印で示したように下方に移動させて押圧摺動させることができる。
【００３７】
本例において窓台部１０１の見込み面に第一傾斜部１１ａが向かい合う姿勢としたのは、防水テープ圧着具１０を押圧摺動させる時、より鋭い角度による先端で入隅を適切に押し付けることができ、連続してそのまま第二傾斜部１１ｂを用いて押し潰した状態で手の甲側に力を入れて親指で支えながら柱１００の見込み面を上方に移動して押圧摺動させる一連の作業が効果的に行えるからである。その際に使用者は親指の腹部分がちょうど凹部１３に入り、握りと加圧する力を安定させることが可能となる。
【００３８】
また、このような三面交点等において、第一傾斜部１１ａの使用頻度が多くなることから、図２、図３からわかるように第一傾斜部１１ａ側が板厚方向中央にまで達するように形成し、ここから平滑部１１ｃ及び第二傾斜部１１ｂを設けて、使用頻度の少ない第二傾斜部１１ｂ側が押し込まれて加圧される力に耐えるようにしている。
【００３９】
このように防水テープ圧着具１０により入隅及びここに形成される三面交点に対して適切に防水テープを貼付することができる。これによれば、作業者による施工のできばえの差を小さく抑えることができ、不陸部分やシワ等の発生も安定して防止することが可能となり、防水施工品質の向上を図ることができる。また防水テープ圧着具１０によれば、防水テープの粘着部を手で押さえることがないので手に粘着剤（ブチル等）が付着することを抑えることができる。
【００４０】
図９は、防水テープ圧着具１０の他の使用例であり、サッシ１１０まわりの防水テープ１１１、１１２の施工における防水テープ圧着具１０の使用例を模式的に表した図である。図９に示したように、縦部の防水テープ１１１においては、平部用押圧部１２を用いて防水テープ１１１の長手方向上下に防水テープ圧着具１０を移動させて押圧摩擦で圧着させる。また、上部の防水テープ１１２も同様に、平部用押圧部１２を用いて防水テープ１１１の長手方向左右に防水テープ圧着具１０を移動させて押圧摩擦で圧着させる。一方、縦部の防水テープ１１１と上部の防水テープ１１２との重ね部（交差部）ＩＸは交差部用押圧部１１を用いて押圧摺動で圧着させる。
【００４１】
このように、必要に応じて防水テープ圧着具１０の使用部位を適宜選択して押圧摺動することにより、防水テープを高い防水性能を持って効率よく貼付することができる。ここでは防水テープ圧着具１０の使用例を２つ挙げたがこれに限らず、あらゆる入隅部や三面交点への防水テープの貼付に用いることができる。例えば、建物外壁とバルコニーの手すり壁の上面との入隅及び三面交点を挙げることができる。
【符号の説明】
【００４２】
１０  防水テープ圧着具
１１  交差部用押圧部
１２  平部用押圧部
１３  凹部
【図１】
0003182977.tif 000003
【図２】
0003182977.tif 000004
【図３】
0003182977.tif 000005
【図４】
0003182977.tif 000006
【図５】
0003182977.tif 000007
【図６】
0003182977.tif 000008
【図７】
0003182977.tif 000009
【図８】
0003182977.tif 000010
【図９】
0003182977.tif 000011
【図１０】
0003182977.tif 000012